(57)【要約】      （修正有）【課題】発光ダイオードストリップライトユニット構造を提供する。【解決手段】単独で電源を接続して設置し、コントロール信号を受信して簡単な光源として使用できる他、多数の発光ストリップライトユニット１０はそれぞれ供給電圧接点２２と作動電圧接点２３により外部電源端から作動電力を得て、及びアース接点２６端によりアースが完成されたという条件下で、相互間で信号アウトプット接点２５と信号インプット接点２４との電気的接続を行うだけで、保留していた信号インプット接点により、コントロール信号を受信し、多種の形態或いは形式（面積）の光源を形成することができ、各発光ストリップライトユニット上には、それぞれ駆動発光部材４０上内蔵のＩＣ駆動チップ４２、近距離駆動発光部材を備えるため、異なる形態或いは形式に光源を設置し、駆動回路の構築コストを節減でき、各発光部材はどれも安定した作動電圧条件下で作動でき、こうして良好な光源品質が得られる。【選択図】図２
0003206872.tif 000002
【実用新案登録請求の範囲】
【請求項１】
発光ダイオードストリップライトユニット構造の発光ストリップライトユニットは、板状基材、多数の発光部材、駆動発光部材を備え、
該板状基材は、絶縁材料により製造される長方形の板状物で、その板面には、導電配線を設置し、該導電配線の両端には、該板面上部に、少なくとも１個の供給電圧接点、作動電圧接点、信号インプット接点、信号アウトプット接点及びアース接点をそれぞれ設置し、
該多数の発光部材は、少なくとも１個のＬＥＤ発光ダイオードを内蔵し、該板状基材の板面上に配列して設置し、該導電配線は、直列接続を形成し、該供給電圧接点端により、電源電圧を得て、
該駆動発光部材は、少なくとも１個のＬＥＤ発光チップ及びＩＣ駆動チップを内蔵し、該ＬＥＤ発光チップは、該導電配線により、該多数の発光部材と直列接続し、該ＩＣ駆動チップは、該ＬＥＤ発光チップに電気的に接続し、該ＬＥＤ発光チップ及び該多数の発光部材の駆動回路とし、しかも該導電配線を通して、該作動電圧接点端は、作動電力を得て、該信号インプット接点端により、外部コントロール信号を受信し、該信号アウトプット接点端により、コントロール信号を送信し、及び該アース接点端により、電源とアース回路を形成し、
該発光ストリップライトユニット全体は、単独で電源を接続して設置し、コントロール信号を受信して、簡単な光源として使用できる他、多数の発光ストリップライトユニットは、それぞれ供給電圧接点と作動電圧接点により、外部電源端から作動電力を得て、及びアース接点端によりアースが完成されたという条件下で、相互間で信号アウトプット接点と信号インプット接点との電気的接続を行うだけで、保留していた信号インプット接点により、コントロール信号を受信し、多種の形態或いは形式（面積）の光源を形成でき、
該各発光ストリップライトユニット上には、それぞれ該駆動発光部材上内蔵のＩＣ駆動チップ、近距離駆動発光部材を備えるため、該異なる形態或いは形式に光源を設置し、駆動回路の構築コストを節減でき、該各発光部材はどれも安定した作動電圧条件下で作動でき、こうして良好な光源品質が得られ、
しかも、該多数の発光ストリップライトユニットにより組合せを完成した多種の形態或いは形式の光源の各発光ストリップライトユニットは、どれもそれぞれ発光作動の作用を行うことができ、さらに光源メンテナンスにおいて、該各発光ストリップライトユニットは皆、単独交換の利便性を備え、維持と管理が簡単だという効果が得られることを特徴とする発光ダイオードストリップライトユニット構造。
【請求項２】
前記板状基材は、可撓性絶縁材料により製造される長方形の板状物で、該板状基材の曲面上の可撓性により、１個或いは多数の発光ストリップライトユニットは、多種の曲面上でサイドライト、バックライト或いは照明の光源とされることを特徴とする請求項１に記載の発光ダイオードストリップライトユニット構造。
【請求項３】
前記板状基材は、可撓性を備えるＰＩプラスチック或いはＰＥＴプラスチック材料により成形される長方形の板状物で、板面上で銅膜エッチングを行い、該導電配線を形成するだけで、該多数の発光部材及び該駆動発光部材を、該導電配線上に接着し、電気的直列接続が形成できることを特徴とする請求項２に記載の発光ダイオードストリップライトユニット構造。
【請求項４】
前記板状基材の板面上の導電配線は、該板面上に、３個の供給電圧接点を設置し、
該多数の発光部材は、それぞれ赤色光、緑色光及び青色光の３個のＬＥＤ発光ダイオードをそれぞれ内蔵し、しかも該多数の発光部材は、該導電配線により直列接続され、それが内蔵する該３個のＬＥＤ発光ダイオードは、それぞれ該３個の供給電圧接点端により、電源電圧を得て、該駆動発光部材内部には、該発光部材の３個のＬＥＤ発光ダイオードと直列接続する赤色光、緑色光及び青色光の３個のＬＥＤ発光チップを内蔵し、これにより該ＩＣ駆動チップの３個の駆動接点は、それぞれ該３個のＬＥＤ発光チップに電気的に連接し、該３個のＬＥＤ発光チップ及び該多数の発光部材の駆動回路とされ、
該発光部材及び該駆動発光部材が内蔵する赤、緑、青色の光ＬＥＤ発光ダイオード及びＬＥＤ発光チップが、ＩＣ駆動チップにより駆動される時には、発光色を設定或いは改変することができ、これにより１個或いは多数の発光ストリップライトユニットの組合せを、光源として使用する時には、環境或いは状況のニーズ或いは条件に応じて、光源の色を設定し、或いは変化させることを特徴とする請求項１に記載の発光ダイオードストリップライトユニット構造。
【考案の詳細な説明】
【技術分野】
【０００１】
本考案は光源の設置に用い、駆動回路の構築コストを節減でき、発光部材の作動電圧が安定し、光源品質が良好なストリップライトユニット構造に関し、特に独立して発光を作動でき、メンテナンスに有利な発光ダイオードストリップライトユニット構造に関する。
【背景技術】
【０００２】
環境保護及び省エネ意識の抬頭に従い、各種電子デバイスもそのニーズに応えるべく発展を続けている。
中でも、照明或いは光源は、人々の生活に欠かせないものであるため、そのニーズは最も高い。
【０００３】
環境保護及び省エネの概念に基づき、伝統的な蛍光灯、白熱灯等の発光デバイスは、徐々に発光ダイオード（ＬＥＤ）に取って代わられている。
市場では、ＬＥＤ発光ダイオードストリップライトは、単独で、或いは多数の組合せで、或いは多種の規格、或いは形態の光源（異なる長さ、或いは異なる幅面積の光源）に適用できるため、様々な環境或いは状況において、照明或いはバックライト或いはサイドライトの光源として使用されている。
【０００４】
従来の発光ダイオードストリップライトは、外部の出力が対応するドライバー（ＩＣドライバー）に接続し、該ドライバーによりコントローラー端のコントロール信号を受け取り、ストリップライト上のＬＥＤ発光ダイオードに対して、発光駆動作動を行う。
しかし、ストリップライトは、ＬＥＤ発光ダイオードチップを発光実体とし、電性への敏感度は非常に高いため、もし電圧が不安定な供給条件下で作動すれば、ＬＥＤ発光ダイオードチップにショート、光の減衰減、点滅等問題が起きやすい。
【０００５】
従来のマルチストリップライト組合せを光源として使用する場合には、ドライバーに接続する時に駆動配線構築（施工）に時間と手間がかかる以外にも問題がある。
それは、接続するドライバーは、ストリップライトの出力に基づき対応を行うが、マルチストリップライトは様々な環境や状況下で、違った組合せ形式や形態を取るなら、或いはドライバーが駆動配線を通して各ＬＥＤ発光ダイオードチップを駆動する距離に違いがあるなら、作動電圧が不安定になり、光源の品質に影響を与え、昇圧或いは減圧の結果となり、ショート或いは光の減衰或いは点滅が発生する恐れがある。
特に、ストリップライトの中に故障しているものがあった場合には、周辺のストリップライトの作動に影響を及ぼし、関連する駆動配線を検査後でなければ交換や修理を行うことができず、光源メンテナンスの困難度を高めてしまっている。  
【先行技術文献】
【特許文献】
【０００６】
【特許文献１】特開2014-183309号公報
【考案の概要】
【考案が解決しようとする課題】
【０００７】
本考案が解決しようとする第一の課題は、発光ストリップライトユニットは板状基材、多数の発光部材、駆動発光部材を備え、板状基材は絶縁材料により製造される長方形の板状物で、その板面には導電配線を設置し、導電配線の両端には板面上部に少なくとも１個の供給電圧接点、作動電圧接点、信号インプット接点、信号アウトプット接点、アース接点をそれぞれ設置し、多数の発光部材は少なくとも１個のＬＥＤ発光ダイオードを内蔵し、板状基材の板面上に配列して設置し、導電配線は直列接続を形成し、供給電圧接点端により電源電圧を得て、駆動発光部材は少なくとも１個のＬＥＤ発光チップ及びＩＣ駆動チップを内蔵し、ＬＥＤ発光チップは導電配線により多数の発光部材と直列接続し、ＩＣ駆動チップはＬＥＤ発光チップに電気的に接続し、ＬＥＤ発光チップ及び多数の発光部材の駆動回路とし、しかも導電配線を通して作動電圧接点端は作動電力を得て、信号インプット接点端により外部コントロール信号を受信し、信号アウトプット接点端によりコントロール信号を送信し、及びアース接点端により電源とアース回路を形成し、発光ストリップライトユニット全体は単独で電源を接続して設置し、コントロール信号を受信して簡単な光源として使用できる他、多数の発光ストリップライトユニットはそれぞれ供給電圧接点と作動電圧接点により、外部電源端から作動電力を得て、及びアース接点端によりアースが完成されたという条件下で、相互間で信号アウトプット接点と信号インプット接点との電気的接続を行うだけで、保留していた信号インプット接点によりコントロール信号を受信し、多種の形態或いは形式（面積）の光源を形成することができ、各発光ストリップライトユニット上には、それぞれ駆動発光部材上内蔵のＩＣ駆動チップ、近距離駆動発光部材を備えるため、異なる形態或いは形式に光源を設置し、駆動回路の構築コストを節減でき、各発光部材はどれも安定した作動電圧条件下で作動でき、こうして良好な光源品質が得られ、しかも多数の発光ストリップライトユニットにより組合せを完成した多種の形態或いは形式の光源の各発光ストリップライトユニットは、どれもそれぞれ発光作動の作用を行うことができ、さらに光源メンテナンスにおいて、各発光ストリップライトユニットは皆、単独交換の利便性を備え、維持と管理が簡単だという効果を得ることができる発光ダイオードストリップライトユニット構造を提供することである。
【０００８】
本考案が解決しようとする第二の課題は、板状基材は可撓性絶縁材料により製造される長方形の板状物で、板状基材の曲面上の可撓性により、１個或いは多数の発光ストリップライトユニットは多種の曲面上で、サイドライト、バックライト或いは照明の光源とでき、しかも板状基材は可撓性を備えるＰＩプラスチック或いはＰＥＴプラスチック材料により成形される長方形の板状物で、板面上で銅膜エッチングを行い、導電配線を形成するだけで、多数の発光部材及び駆動発光部材を導電配線上に接着し、電気的直列接続を形成することができる発光ダイオードストリップライトユニット構造を提供することである。
【０００９】
本考案が解決しようとする第三の課題は、板状基材の板面上の導電配線は、板面上に３個の供給電圧接点を設置し、多数の発光部材はそれぞれ赤色光、緑色光、青色光の３個のＬＥＤ発光ダイオードをそれぞれ内蔵し、しかも多数の発光部材は導電配線により直列接続され、それが内蔵する３個のＬＥＤ発光ダイオードはそれぞれ３個の供給電圧接点端により電源電圧を得て、駆動発光部材内部には発光部材の３個のＬＥＤ発光ダイオードと直列する赤色光、緑色光、青色光の３個のＬＥＤ発光チップを内蔵し、これによりＩＣ駆動チップの３個の駆動接点はそれぞれ３個のＬＥＤ発光チップに電気的に連接し、３個のＬＥＤ発光チップ及び多数の発光部材の駆動回路とされ、発光部材及び駆動発光部材が内蔵する赤、緑、青色の光ＬＥＤ発光ダイオード及びＬＥＤ発光チップがＩＣ駆動チップにより駆動される時には、発光色を設定或いは改変することができ、これにより１個或いは多数の発光ストリップライトユニットの組合せを、光源として使用する時には、環境或いは状況のニーズ或いは条件に応じて、光源の色を設定し、或いは変化させられる発光ダイオードストリップライトユニット構造を提供することである。
【課題を解決するための手段】
【００１０】
上記課題を解決するため、本考案は下記の発光ダイオードストリップライトユニット構造を提供する。
【考案の効果】
【００１１】
本考案の発光ダイオードストリップライトユニット構造において、各発光ストリップライトユニットは皆、単独交換の利便性を備え、維持と管理が簡単だという効果を備える。
【図面の簡単な説明】
【００１２】
【図１】本考案構造の外観立体図である。
【図２】本考案構造の等価回路図である。
【図３】本考案多数の発光ストリップライトユニットを組合せて使用する等価回路図である。
【図４】本考案別種の実施形態の構造外観立体図である。
【図５】本考案別種の実施形態の構造等価回路図である。
【図６】本考案別種の実施形態の構造の多数の発光ストリップライトユニットを組合せて使用する等価回路図である。
【考案を実施するための形態】
【００１３】
以下に図面を参照しながら本考案を実施するための最良の形態について詳細に説明する。
【００１４】
図１、２に示すように、発光ストリップライトユニット１０は、板状基材２０、多数の発光部材３０及び駆動発光部材４０を備える。
【００１５】
該板状基材２０は、絶縁材料により製造される長方形の板状物で、その板面には、導電配線２１を設置する。
【００１６】
該導電配線２１の両端には、該板面上部、少なくとも１個の供給電圧接点２２、作動電圧接点２３、信号インプット接点２４、信号アウトプット接点２５及びアース接点２６をそれぞれ設置する。
【００１７】
該多数の発光部材３０（ＬＥＤ１〜５）は、少なくとも１個のＬＥＤ発光ダイオード３１を内蔵し、該板状基材２０の板面上に配列して設置する。
【００１８】
該導電配線２１は、直列接続を形成し、該供給電圧接点２２端により、外部電源に接続し、電源電圧を得る。
【００１９】
該駆動発光部材４０（ＬＥＤ  ＩＣ）は、少なくとも１個のＬＥＤ発光チップ４１及びＩＣ駆動チップ４２を内蔵する。
【００２０】
該ＬＥＤ発光チップ４１は、該導電配線２１により、該多数の発光部材３０のＬＥＤ発光ダイオード３１と直列接続する。
【００２１】
該ＩＣ駆動チップ４２は、該ＬＥＤ発光チップ４１に電気的に接続し、該ＬＥＤ発光チップ４１及び該多数の発光部材３０（ＬＥＤ発光ダイオード３１）の駆動回路とする。
【００２２】
しかも、該導電配線２１を通して、該作動電圧接点２３端は、作動電力を得る。
【００２３】
該信号インプット接点２４端により、外部コントロール信号を受信し、該信号アウトプット接点２５端により、コントロール信号を送信し、及び該アース接点２６端により、電源とアース回路を形成する。
【００２４】
該発光ストリップライトユニット１０全体は、単独で電源を接続して設置し、コントロール信号を受信して、簡単な光源として使用できる。
【００２５】
この他、図３に示すように、多数の発光ストリップライトユニット１０は、それぞれ供給電圧接点２２と作動電圧接点２３により、外部電源端から作動電力を得て、及びアース接点２６端によりアースが完成されたという条件下で、相互間で信号アウトプット接点２５と信号インプット接点２４との電気的接続を行うだけで、保留していた信号インプット接点２４より（コントローラー端）コントロール信号を受信し、多種の形態或いは形式（面積）の光源を形成することができる。
【００２６】
該各発光ストリップライトユニット１０上には、駆動発光部材４０上（永久性）に内蔵されるＩＣ駆動チップ４２をそれぞれ備えるため、ＬＥＤ発光チップ４１及び板状基材２０上発光部材３０のＬＥＤ発光ダイオード３１を近距離で駆動する。
【００２７】
これにより、異なる形態或いは形式に、光源を設置し、駆動回路の構築コストを節減でき、さらに該各発光部材３０のＬＥＤ発光ダイオード３１及び駆動発光部材４０のＬＥＤ発光チップ４１は皆、安定した作動電圧条件下で作動し、良好な光源品質を得ることができる。
【００２８】
しかも、多数の発光ストリップライトユニット１０により組合せを完成した多種の形態或いは形式の光源の各発光ストリップライトユニット１０はどれもそれぞれ独立して発光作動の作用を行うことができ、光源メンテナンスにおいて、各発光ストリップライトユニット１０は皆、単独交換の利便性を備え、維持と管理が簡単だという効果を得ることができる。
【００２９】
上述の実施形態に基づき、図１に示すように、該板状基材２０は、可撓性絶縁材料により製造される長方形の板状物である。
【００３０】
該板状基材２０は曲面上の可撓性（図示なし）により、１個或いは多数の発光ストリップライトユニット２０は、多種の曲面上で、サイドライト、バックライト或いは照明の光源とすることができる。
【００３１】
しかも、該板状基材は、可撓性を備えるＰＩプラスチック或いはＰＥＴプラスチック材料により成形される長方形の板状物で、板面上で銅膜エッチングを行い、該導電配線２１を形成するだけで、該多数の発光部材３０及び該駆動発光部材４０を、該導電配線２１上に接着し、電気的直列接続を形成することができる。
【００３２】
上述の実施形態に基づき、図４、５に示すように、該板状基材２０の板面上の導電配線２１Ａは、該板面上に、３個の供給電圧接点２２Ａ、２２Ｂ、２２Ｃを設置する。
【００３３】
該多数の発光部材３０Ａは、それぞれ赤色光（Ｒ）、緑色光（Ｇ）及び青色光（Ｂ）の３個のＬＥＤ発光ダイオード３１Ａ、３１Ｂ、３１Ｃをそれぞれ内蔵する。
【００３４】
しかも、該多数の発光部材３０Ａは、導電配線２１Ａにより直列接続され、それが内蔵する該３個のＬＥＤ発光ダイオード３１Ａ、３１Ｂ、３１Ｃは、それぞれ該３個の供給電圧接点２２Ａ、２２Ｂ、２２Ｃ端により、電源電圧を得る。
【００３５】
該駆動発光部材４０Ａ内部には、該発光部材３０Ａの３個のＬＥＤ発光ダイオード３１Ａ、３１Ｂ、３１Ｃと直列する赤色光（Ｒ）、緑色光（Ｇ）及び青色光（Ｂ）の３個のＬＥＤ発光チップ４１Ａ、４１Ｂ、４１Ｃを内蔵する。
【００３６】
これにより、該ＩＣ駆動チップ４２の３個の駆動接点は、それぞれ該３個のＬＥＤ発光チップ４１Ａ、４１Ｂ、４１Ｃに電気的に連接し、該３個のＬＥＤ発光チップ４１Ａ、４１Ｂ、４１Ｃ及び該多数の発光部材３０Ａ（ＬＥＤ発光ダイオード３１Ａ、３１Ｂ、３１Ｃ）の駆動回路とする。
【００３７】
発光部材３０Ａ及び駆動発光部材４０Ａが内蔵する赤（Ｒ）、緑（Ｇ）、青色光（Ｂ）のＬＥＤ発光ダイオード３１Ａ、３１Ｂ、３１Ｃ及びＬＥＤ発光チップ４１Ａ、４１Ｂ、４１Ｃが、ＩＣ駆動チップ４２により駆動される時には、発光色を設定或いは改変することができる。
【００３８】
図５、６に示すように、これにより１個或いは多数の発光ストリップライトユニット１０Ａの組合せを、光源として使用する時には、環境或いは状況のニーズ或いは条件に応じて、光源の色を設定或いは変えることができる。
【００３９】
上記の本考案名称と内容は、本考案技術内容の説明に用いたのみで、本考案を限定するものではない。本考案の精神に基づく等価応用或いは部品（構造）の転換、置換、数の量の増減はすべて、本考案の保護範囲に含むものとする。
【産業上の利用可能性】
【００４０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４１】
１０、１０Ａ  発光ストリップライトユニット
２０  板状基材
２１、２１Ａ  導電配線
２２、２２Ａ、２２Ｂ、２２Ｃ  供給電圧接点
２３  作動電圧接点
２４  信号インプット接点
２５  信号アウトプット接点
２６  アース接点
３０、３０Ａ  発光部材
３１、３１Ａ、３１Ｂ、３１Ｃ  ＬＥＤ発光ダイオード
４０、４０Ａ  駆動発光部材
４１、４１Ａ、４１Ｂ、４１Ｃ  ＬＥＤ発光チップ
４２  ＩＣ駆動チップ
【図１】
0003206872.tif 000003
【図２】
0003206872.tif 000004
【図３】
0003206872.tif 000005
【図４】
0003206872.tif 000006
【図５】
0003206872.tif 000007
【図６】
0003206872.tif 000008